(57)【要約】【課題】  収納物の出し入れが容易で使用上便利であり、しかも、部品点数を少なくして作業工数およびコストの大幅な低減を図ることができるプラスチック容器を提供する。【解決手段】  軟質樹脂により一体に形成されたプラスチック容器１は、弾性復元性を有する胴部２を有する。胴部２の一端には一体に形成されたスリット状の口部４を有する。プラスチック容器１はブロー成形により一体に形成され、スリット状の口部４はピンチオフ部に形成される。口部４はスリット両端を近接させる方向に押圧することにより開口し、押圧を解除することにより閉鎖する。プラスチック容器１はポリオレフィン系樹脂により一体に形成され、少なくとも胴部２が透明である。【選択図】        図１
2006151469.tif 000002
【特許請求の範囲】
【請求項１】
軟質樹脂により一体に形成された容器であって、
弾性復元性を有する胴部を有し、
前記胴部の一端には一体に形成されたスリット状の口部を有する
ことを特徴とするプラスチック容器。
【請求項２】
容器はブロー成形により一体に形成され、
口部がピンチオフ部に形成されている
ことを特徴とする請求項１記載のプラスチック容器。
【請求項３】
軟質樹脂により一体に形成された容器であって、
弾性復元性を有する胴部を有し、
前記胴部にはスリット状の口部が一体に形成されている
ことを特徴とするプラスチック容器。
【請求項４】
胴部が扁平形状を有し、
口部はスリット両端を近接させる方向に押圧することにより開口し、
押圧を解除することにより閉鎖し、
前記口部より固体からなる収納物を出し入れ自在とした
ことを特徴とする請求項１、２または３記載のプラスチック容器。
【請求項５】
容器はポリオレフィン系樹脂により一体に形成されており、
前記容器の少なくとも胴部が透明である
ことを特徴とする請求項４記載のプラスチック容器。
【請求項６】
容器には吊り具が一体に形成されている
ことを特徴とする請求項４記載のプラスチック容器。
【発明の詳細な説明】
【技術分野】
【０００１】
本発明は、歯ブラシと歯磨チューブなどの歯磨きセット、筆記具など文具その他の小物類を収納して、携帯するのに使用するプラスチック容器に関するものである。
【背景技術】
【０００２】
この種のプラスチック容器として、別体のキャップを係止させたプラスチック容器は特開２００３−７２７８８公報に、別体のキャップをリングにより嵌合固定したプラスチック容器は実開平６−２７５８８号公報に、別体のスリット状閉止弁を設けた容器は特表２００２−５４３００５公報にそれぞれ記載されている。
【特許文献１】特開２００３−７２７８８公報
【特許文献２】実開平６−２７５８８号公報
【特許文献３】特表２００２−５４３００５公報
【発明の開示】
【発明が解決しようとする課題】
【０００３】
従来のこの種の容器にあっては、ブロー成形により形成した容器本体に別体に形成したキャップをリング等を用いて一体に嵌合固定する必要があるので、使用上不便であり、また、部品点数が多くて作業工数、コストの増加を招いていた。
【０００４】
そこで本発明は、ブロー成形により軟質樹脂で一体に形成された容器であって、弾性復元力を有する胴部とスリット状の口部を形成することより、スリット両端を近接させる方向に押圧するだけで開口でき、また押圧を解除することで閉鎖される口部を有していて、収納物の出し入れが容易で使用上便利であり、しかも、部品点数を少なくして作業工数およびコストの大幅な低減を図ることができるプラスチック容器を提供することを目的とするものである。
【課題を解決するための手段】
【０００５】
上記目的を達成するための本発明の請求項１に係るプラスチック容器は、軟質樹脂により一体に形成された容器であって、弾性復元性を有する胴部を有し、前記胴部の一端には一体に形成されたスリット状の口部を有することを特徴とするものである。
【０００６】
本発明の請求項２に係るプラスチック容器は、請求項１の構成において、容器はブロー成形により一体に形成され、口部がピンチオフ部に形成されていることを特徴とするものである。
【０００７】
また、本発明の請求項３に係るプラスチック容器は、軟質樹脂により一体に形成された容器であって、弾性復元性を有する胴部を有し、前記胴部にはスリット状の口部が一体に形成されていることを特徴とするものである。
【０００８】
本発明の請求項４に係るプラスチック容器は、請求項１、２または３の構成において、胴部が扁平形状を有し、口部はスリット両端を近接させる方向に押圧することにより開口し、押圧を解除することにより閉鎖し、前記口部より固体からなる収納物を出し入れ自在としたことを特徴とするものである。
【０００９】
本発明の請求項５に係るプラスチック容器は、請求項４の構成において、容器はポリオレフィン系樹脂により一体に形成されており、前記容器の少なくとも胴部が透明であることを特徴とするものである。
【００１０】
本発明の請求項６に係るプラスチック容器は、請求項４の構成において、容器には吊り具が一体に形成されていることを特徴とするものである。
【発明の効果】
【００１１】
本発明によれば、ブロー成形により軟質樹脂で一体に形成された容器であって、弾性復元力を有する胴部とスリット状の口部を形成することより、スリット両端を近接させる方向に押圧するだけで開口でき、また押圧を解除することで閉鎖される口部を有していて、収納物の出し入れが容易で使用上便利であり、しかも、部品点数を少なくして作業工数およびコストの大幅な低減を図ることができる効果が得られるものである。
【発明を実施するための最良の形態】
【００１２】
図１は本発明の一実施の形態に係るプラスチック容器の斜視図、図２は同上正面図、図３は同上底面図、図４は同上スリット状の口部を開口させた状態を示す底面図、図５は本発明の他の実施の形態を示すプラスチック容器の斜視図である。
【００１３】
図１ないし図４に示すように、１はプラスチック容器である。このプラスチック容器１は、軟質樹脂により一体に形成された容器であって、弾性復元性を有する胴部２を有し、その胴部２の底面（一端）３には、一体に形成されたスリット状の口部４が一体に形成されており、胴部２の上端（他端）には吊り具５が一体に形成されている。プラスチック容器１はブロー成形により一体に形成され、スリット状の口部４はピンチオフ部に形成されている。プラスチック容器１はポリオレフィン系樹脂により一体に形成されており、少なくともその胴部２は透明である。
【００１４】
プラスチック容器１は前記のように軟質樹脂により一体に形成されるが、それに適した軟質樹脂としては、低密度ポリエチレン（ＬＤＰＥ）、直鎖状低密度ポリエチレン（ＬＬＤＰＥ）、高密度ポリエチレン（ＨＤＰＥ）、ポリプロピレンなどのポリオレフィン系樹脂、エチレン・酢酸ビニル共重合体（ＥＶＡ）、ポリ塩化ビニル（ＰＶＣ）、アイオノマー樹脂、各種熱可塑性エラストマー及びこれらの２種以上の混合物などが挙げられる。
【００１５】
プラスチック容器１は、その胴部の底面３にスリット状の口部４を有するが、この口部４は胴部２が常態では閉じているが（図３）、口部４はそのスリットの両端を近接させる方向に胴部２の底部を押圧することにより開口するので（図４）、口部４より歯磨きチューブや歯ブラシなどの収納物を出し入れすることができる。そして、その押圧を解除することで口部４を閉鎖させることができるので、収納物の出し入れが容易であって使用上便利であるとともに収納物の収納状態が確実である。
【００１６】
また、本発明に係るプラスチック容器１は、胴部２の底面３にスリット状の口部４が一体に形成されているだけで付属の部品を要しないので、製造上の作業工数およびコストの大幅な低減を図ることができるとともに、透明に形成された胴部２の上端に吊り具５を有するので、販売時には店舗において吊下げて展示することができ、内容物を容易に確認することができる。
【００１７】
図５に示す本発明の他の実施の形態に係るプラスチック容器１は、扁平状の胴部２の広い一面６にスリット状の口部４を一体に形成してあるほかは図１ないし図４に示すものと同等の構成である。したがって、口部４は胴部２が常態では閉じているが、口部４はそのスリットの両端を近接させる方向に胴部２を押圧することにより開口させることができるものである。
【図面の簡単な説明】
【００１８】
【図１】本発明の一実施の形態に係るプラスチック容器の斜視図である。
【図２】同上正面図である。
【図３】同上底面図である。
【図４】同上スリット状の口部を開口させた状態を示す底面図である。
【図５】本発明の他の実施の形態を示すプラスチック容器の斜視図である。
【符号の説明】
【００１９】
１  プラスチック容器
２  胴部
３  底面
４  スリット状の口部
５  吊り具
６  扁平状の胴部の広い一面
【図１】
2006151469.tif 000003
【図２】
2006151469.tif 000004
【図３】
2006151469.tif 000005
【図４】
2006151469.tif 000006
【図５】
2006151469.tif 000007